【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
放送を受信する放送受信手段と、
この放送受信手段で受信される特定の番組を予約録画するための録画予約情報と、該番組の番組説明を含む番組情報とを対応させて第１の記録媒体に記録する記録手段と、
録画予約された特定の番組に対して番組情報の取得が要求されたときに、該番組の録画予約情報に基づいて番組の録画時間を算出する録画時間算出手段と、
この録画時間算出手段で算出された録画時間が、予め設定された規定時間よりも長いか否かを判別する判別手段と、
この判別手段で録画時間が規定時間よりも長いと判別されたときに、該番組の録画予約情報として設定されている開始時刻に、予め設定された所定量のオフセットを設定するオフセット設定手段と、
このオフセット設定手段でオフセットの設定された開始時刻を含む番組情報取得要求情報をネットワークに送出し、該ネットワーク上から前記オフセットの設定された開始時刻に対応する番組の番組情報を取得して前記記録手段に記録させる番組情報取得手段と、
前記記録手段に記録された録画予約情報に基づいた番組と、該番組に対応させて前記記録手段に記録された前記番組情報とを第２の記録媒体に記録する録画手段とを具備したことを特徴とする録画装置。
【請求項２】
放送を受信する放送受信手段と、
この放送受信手段で受信される特定の番組を予約録画するための録画予約情報と、該番組の番組説明を含む番組情報とを対応させて第１の記録媒体に記録する記録手段と、
録画予約された特定の番組に対して番組情報の取得が要求されたときに、該番組の録画予約情報に基づいて番組の録画時間を算出する録画時間算出手段と、
この録画時間算出手段で算出された録画時間が、予め設定された規定時間よりも長いか否かを判別する判別手段と、
この判別手段で録画時間が規定時間よりも長くないと判別されたときに、前記録画予約情報に設定されている開始時刻を含む番組情報取得要求情報をネットワークに送出し、該ネットワーク上から前記開始時刻に対応する番組の番組情報を取得して前記記録手段に記録させる番組情報取得手段と、
前記記録手段に記録された録画予約情報に基づいた番組と、該番組に対応させて前記記録手段に記録された前記番組情報とを第２の記録媒体に記録する録画手段とを具備したことを特徴とする録画装置。
【請求項３】
放送を受信する工程と、
受信される特定の番組を予約録画するための録画予約情報と、該番組の番組説明を含む番組情報とを対応させて第１の記録媒体に記録する工程と、
録画予約された特定の番組に対して番組情報の取得が要求されたときに、該番組の録画予約情報に基づいて番組の録画時間を算出する工程と、
算出された録画時間が予め設定された規定時間よりも長いか否かを判別する工程と、
録画時間が規定時間よりも長いと判別されたときに、該番組の録画予約情報として設定されている開始時刻に、予め設定された所定量のオフセットを設定する工程と、
オフセットの設定された開始時刻を含む番組情報取得要求情報をネットワークに送出する工程と、
ネットワーク上から前記オフセットの設定された開始時刻に対応する番組の番組情報を取得して前記第１の記録媒体に記録させる工程と、
前記第１の記録媒体に記録された録画予約情報に基づいた番組と、該番組に対応させて前記第１の記録媒体に記録された前記番組情報とを第２の記録媒体に記録する工程とを具備したことを特徴とする録画方法。
【請求項４】
放送を受信する工程と、
受信される特定の番組を予約録画するための録画予約情報と、該番組の番組説明を含む番組情報とを対応させて第１の記録媒体に記録する工程と、
録画予約された特定の番組に対して番組情報の取得が要求されたときに、該番組の録画予約情報に基づいて番組の録画時間を算出する工程と、
算出された録画時間が予め設定された規定時間よりも長いか否かを判別する工程と、
録画時間が規定時間よりも長くないと判別されたときに、前記録画予約情報に設定されている開始時刻を含む番組情報取得要求情報をネットワークに送出する工程と、
ネットワーク上から前記開始時刻に対応する番組の番組情報を取得して前記第１の記録媒体に記録させる工程と、
前記第１の記録媒体に記録された録画予約情報に基づいた番組と、該番組に対応させて前記第１の記録媒体に記録された前記番組情報とを第２の記録媒体に記録する工程とを具備したことを特徴とする録画方法。
【請求項５】
放送を受信する放送受信手段と、
この放送受信手段で受信された番組を映像表示する映像表示手段と、
前記放送受信手段で受信される特定の番組を予約録画するための録画予約情報と、該番組の番組説明を含む番組情報とを対応させて記録媒体に記録する記録手段と、
録画予約された特定の番組に対して番組情報の取得が要求されたときに、該番組の録画予約情報に基づいて番組の録画時間を算出する録画時間算出手段と、
この録画時間算出手段で算出された録画時間が、予め設定された規定時間よりも長いか否かを判別する判別手段と、
この判別手段で録画時間が規定時間よりも長いと判別されたときに、該番組の録画予約情報として設定されている開始時刻に、予め設定された所定量のオフセットを設定するオフセット設定手段と、
このオフセット設定手段でオフセットの設定された開始時刻を含む番組情報取得要求情報をネットワークに送出し、該ネットワーク上から前記オフセットの設定された開始時刻に対応する番組の番組情報を取得して前記記録手段に記録させる番組情報取得手段と、
前記記録手段に記録された録画予約情報に基づいた番組と、該番組に対応させて前記記録手段に記録された前記番組情報とを出力する出力手段とを具備したことを特徴とする放送受信装置。
【請求項６】
放送を受信する放送受信手段と、
この放送受信手段で受信された番組を映像表示する映像表示手段と、
前記放送受信手段で受信される特定の番組を予約録画するための録画予約情報と、該番組の番組説明を含む番組情報とを対応させて記録媒体に記録する記録手段と、
録画予約された特定の番組に対して番組情報の取得が要求されたときに、該番組の録画予約情報に基づいて番組の録画時間を算出する録画時間算出手段と、
この録画時間算出手段で算出された録画時間が、予め設定された規定時間よりも長いか否かを判別する判別手段と、
この判別手段で録画時間が規定時間よりも長くないと判別されたときに、前記録画予約情報に設定されている開始時刻を含む番組情報取得要求情報をネットワークに送出し、該ネットワーク上から前記開始時刻に対応する番組の番組情報を取得して前記記録手段に記録させる番組情報取得手段と、
前記記録手段に記録された録画予約情報に基づいた番組と、該番組に対応させて前記記録手段に記録された前記番組情報とを出力する出力手段とを具備したことを特徴とする放送受信装置。
【請求項７】
放送を受信する工程と、
受信された番組を映像表示する工程と、
受信される特定の番組を予約録画するための録画予約情報と、該番組の番組説明を含む番組情報とを対応させて記録媒体に記録する工程と、
録画予約された特定の番組に対して番組情報の取得が要求されたときに、該番組の録画予約情報に基づいて番組の録画時間を算出する工程と、
算出された録画時間が予め設定された規定時間よりも長いか否かを判別する工程と、
録画時間が規定時間よりも長いと判別されたときに、該番組の録画予約情報として設定されている開始時刻に、予め設定された所定量のオフセットを設定する工程と、
オフセットの設定された開始時刻を含む番組情報取得要求情報をネットワークに送出する工程と、
ネットワーク上から前記オフセットの設定された開始時刻に対応する番組の番組情報を取得して前記記録媒体に記録させる工程と、
前記記録媒体に記録された録画予約情報に基づいた番組と、該番組に対応させて前記記録媒体に記録された前記番組情報とを出力する工程とを具備したことを特徴とする放送受信方法。
【請求項８】
放送を受信する工程と、
受信された番組を映像表示する工程と、
受信される特定の番組を予約録画するための録画予約情報と、該番組の番組説明を含む番組情報とを対応させて記録媒体に記録する工程と、
録画予約された特定の番組に対して番組情報の取得が要求されたときに、該番組の録画予約情報に基づいて番組の録画時間を算出する工程と、
算出された録画時間が予め設定された規定時間よりも長いか否かを判別する工程と、
録画時間が規定時間よりも長くないと判別されたときに、前記録画予約情報に設定されている開始時刻を含む番組情報取得要求情報をネットワークに送出する工程と、
ネットワーク上から前記開始時刻に対応する番組の番組情報を取得して前記記録媒体に記録させる工程と、
前記記録媒体に記録された録画予約情報に基づいた番組と、該番組に対応させて前記記録媒体に記録された前記番組情報とを出力する工程とを具備したことを特徴とする放送受信方法。